(57)【要約】【目的】コンパクトに折り畳めるようにする。【構成】対をなす２つのＰＴＰホルダー10Ａ，10Ｂが側面部14Ａでつながっている。これらのＰＴＰホルダー10Ａと10Ｂが折り畳まれたときに，それらに保持されたＰＴＰ40から突出する薬剤収容部41が互いに衝突しない位置に配置されている。側面部14Ａの幅は，薬剤収容部41の高さとほぼ等しい。【選択図】図６
2012041072.tif 000002
【特許請求の範囲】
【請求項１】
少なくとも一対のＰＴＰホルダーが１枚の台紙によってつくられるものであり，
各ＰＴＰホルダーは，互いに折り重ね合わされかつ固定されることにより，それらの間にＰＴＰを保持するための一方向に連接して設けられる第１の挟持部と第２の挟持部を備え，
各ＰＴＰホルダーの第１の挟持部には，保持されるＰＴＰの薬剤収容部が突出する保持孔があけられ，
対をなすＰＴＰホルダーは，上記第１，第２の挟持部が連接する方向とは垂直な方向に隣り合って並んで設けられており，
対をなすＰＴＰホルダーの上記第１の挟持部は，保持されるＰＴＰから突出する薬剤収容部の高さに相当する幅を有する側面部を介してつながっており，
対をなすＰＴＰホルダーの上記保持孔は，対をなすＰＴＰホルダーが上記側面部の幅に相当する間隔をあけてほぼ平行に折り畳まれたときに，各保持孔から突出するＰＴＰの薬剤収容部が互いに干渉しない位置に設けられている，
ＰＴＰホルダー・パッケージ。
【請求項２】
上記第１の挟持部または上記第２の挟持部には，保持されるＰＴＰに表わされた情報を読み取るための窓があけられている，
請求項１に記載のＰＴＰホルダー・パッケージ。
【請求項３】
上記第２の挟持部に，上記第１の挟持部の保持孔に対応する位置に，薬剤取り出しのための孔があけられている，請求項１または２に記載のＰＴＰホルダー・パッケージ。
【請求項４】
上記第１の挟持部の上記第２の挟持部が連なる側とは反対側に，上記第２の挟持部に重ね合わされる表部が，上記第１の挟持部につながって設けられている，請求項１から３のいずれか一項に記載のＰＴＰホルダー・パッケージ。
【請求項５】
上記表部に，上記第２の挟持部の孔の位置に薬剤取り出し孔があけられている，請求項４に記載のＰＴＰホルダー・パッケージ。
【請求項６】
複数対のＰＴＰホルダーが，上記第１，第２の挟持部が連接する方向とは垂直な方向に隣り合って並び，隣接する上記第１の挟持部同志が折りしろを介してつながっている，請求項１から５のいずれか一項に記載のＰＴＰホルダー・パッケージ。
【請求項７】
上記第１の挟持部間の折りしろに破断線が形成されている，請求項６に記載のＰＴＰホルダー・パッケージ。
【請求項８】
上記第１の挟持部に，保持されるＰＴＰの外形に相当する破断線が形成されている，請求項１から７のいずれか一項に記載のＰＴＰホルダー・パッケージ。
【発明の詳細な説明】
【技術分野】
【０００１】
この発明はＰＴＰホルダー・パッケージに関する。パッケージとは，複数（少なくとも一対）のＰＴＰホルダーが少なくともその一部でつながっていることにより一体化してひとまとめになっているという意味である。ＰＴＰのＰＴＰは英語のPress Through Package の略で，アルミニウム（その他の金属）などの薄い基板に，突出した密閉空間（薬剤収容部）が形成されたプラスチックをシールしたもので，密閉空間内に薬剤（特に錠剤）を封入して使用するものである。薬剤収容部の基板側は開口してそこがアルミニウム箔などの破れやすい材料で閉鎖されているので，突出側からプラスチックを押せば内部の薬剤を取り出すことができる。ＰＴＰホルダーは，少なくとも１つの薬剤収容部を持つＰＴＰを台紙（厚紙）で挟持して保持する保持体ないしは包装体である。
【背景技術】
【０００２】
週に１回とか，比較的長い期間に１回飲む薬剤の場合に，その管理を容易にするために，ＰＴＰを比較的大き目のケースに収納，または台紙に保持するようにしている。
【０００３】
たとえば，下記特許文献１に開示の包装体では，かなり大き目の台紙に２区画ないし４区画を平面的に設けて，各区画に１つずつＰＴＰ（１つのＰＴＰに１つの薬剤収容部がある）を保持している。
【先行技術文献】
【特許文献】
【０００４】
【特許文献１】特開２０１０−５１９３
【０００５】
しかしながら，この包装体では，台紙が２区画ないしは４区画分の広さで平面的に広がっているので，やや大きすぎるし，折り畳む構造となっていないのでコンパクト化が難しい。
【発明の開示】
【０００６】
この発明は，複数回服用分のＰＴＰを保持することができ，かつ折り畳むことが可能で取扱いやすい大きさとすることができるＰＴＰホルダー・パッケージを提供することを目的とする。
【０００７】
この発明によるＰＴＰホルダー・パッケージは，少なくとも一対のＰＴＰホルダーが１枚の台紙によってつくられるものである。
【０００８】
各ＰＴＰホルダーは，一方向に連接して設けられる第１の挟持部と第２の挟持部を備え，これらの第１，第２の挟持部が互いに折り重ね合わされかつ固定されることにより，それらの間にＰＴＰを保持する。
【０００９】
各ＰＴＰホルダーの第１の挟持部には，保持されるＰＴＰの薬剤収容部が突出する保持孔があけられている。
【００１０】
対をなすＰＴＰホルダーは，上記第１，第２の挟持部が連接する方向とは垂直な方向に隣り合って並んで設けられており，対をなすＰＴＰホルダーの上記第１の挟持部は，側面部を介して互いにつながっている。この側面部は，保持されるＰＴＰから突出する薬剤収容部の高さに相当する幅を有する。
【００１１】
対をなすＰＴＰホルダーの上記保持孔は，対をなすＰＴＰホルダーが上記側面部の幅に相当する間隔をあけてほぼ平行に折り畳まれたときに，各保持孔から突出するＰＴＰの薬剤収容部が互いに干渉しない位置に設けられている。
【００１２】
このようにして，少なくとも一対のＰＴＰホルダーが１つのＰＴＰの薬剤収容部の高さ分に相当する厚さに折り畳まれるので，取扱いやすいコンパクトな大きさにおさまる。しかも少なくとも２個（２回服用分）のＰＴＰを保持することができる。
【００１３】
固定されている第１の挟持部と第２の挟持部を剥すことにより，内部に保持されているＰＴＰを取出すこともできるが，好ましくは，上記第２の挟持部に，上記第１の挟持部の保持孔に対応する位置に，薬剤取り出しのための孔をあけておくと，薬剤収容部を押して薬剤取り出し孔を通して薬剤を取出すことができる。
【００１４】
一実施態様では，上記第１の挟持部または上記第２の挟持部には，内部に保持されるＰＴＰに表わされた情報を読み取るための窓があけられている。この窓を通してＰＴＰに表わされた情報を読取ることができる。
【００１５】
他の実施態様では，上記第１の挟持部の上記第２の挟持部が連なる側とは反対側に，上記第２の挟持部に重ね合わされる表部が，上記第１の挟持部につながって設けられている。この表部は一種のカバーであり，ＰＴＰホルダーを保護するとともに，薬剤名，服用日等の重要な情報を表示することもできる。好ましくは，上記表部にも，上記第２の挟持部の孔の位置に薬剤取り出し孔があけられる。
【００１６】
少なくとも一対のＰＴＰホルダーによりＰＴＰホルダー・パッケージが形成されるが，より多くのＰＴＰホルダーを一体化してパッケージとしてもよい。
【００１７】
すなわち，他の実施態様では，複数対のＰＴＰホルダーが，上記第１，第２の挟持部が連接する方向とは垂直な方向に隣り合って並び，隣接する上記第１の挟持部同志が折りしろを介してつながっている。多数のＰＴＰをコンパクトに保持できるようになる。
【００１８】
上記第１の挟持部間の折りしろに破断線を形成しておくと，一対ずつＰＴＰホルダーを分離することが容易にできるようになる。
【００１９】
さらに他の実施態様では，上記第１の挟持部に，保持されるＰＴＰの外形に相当する破断線（切れ目）が形成されている。外形のすべての辺について破断線を形成しなくてもＰＴＰが取出せればよい。破断線に沿って第１の挟持部の対応部分を破断し，内部のＰＴＰを容易に取出すことが可能となる。
【図面の簡単な説明】
【００２０】
【図１】この発明によるＰＴＰホルダー・パッケージを作製するための台紙の平面図である。
【図２】作製されたＰＴＰホルダー・パッケージをかなり拡大して示す上面図である。
【図３】作製されたＰＴＰホルダー・パッケージをかなり拡大して示す側面図である。
【図４】作製されたＰＴＰホルダー・パッケージの斜視図である。
【図５】作製されたＰＴＰホルダー・パッケージにおいて，一番目のＰＴＰホルダーの表部を開いて示す斜視図である。
【図６】一番目のＰＴＰホルダーの全体を開いて示す斜視図である。
【図７】他の実施例を示す台紙の平面図である。
【図８】さらに他の実施例を示す台紙の平面図である。
【実施例】
【００２１】
図１はこの発明によるＰＴＰホルダー・パッケージを作製するための台紙（厚紙）の平面図（展開図）である。４つのＰＴＰホルダー10Ａ，10Ｂ，10Ｃ，10Ｄが形成される。ＰＴＰホルダー10Ａと10Ｂが対をなし，ＰＴＰホルダー10Ｃと10Ｄが対をなす。
【００２２】
図２，図３はそれぞれ作製されたＰＴＰホルダー・パッケージをかなり拡大して示す上面図と側面図である。
【００２３】
図４は作製されたＰＴＰホルダー・パッケージの斜視図である。図５は作製されたＰＴＰホルダー・パッケージにおいて，ＰＴＰホルダー10Ａの表部を開いて示す斜視図であり，図６はＰＴＰホルダー10Ａの全体を開いて示す斜視図である。
【００２４】
図１において，台紙１は厚紙であり，厚紙には板紙（ボール紙），ミルクカートン用紙，画用紙，ケント紙，段ボール等を含み，いわゆる合成紙（積層紙），複合紙でもよく，各種プラスチックフィルムを積層（たとえば表面にラミネート）したものでもよい。図１は台紙を折って各ＰＴＰホルダーを形成したときに，各ＰＴＰホルダーの外側となる面を示すものであり，このとき山折りとなる線を鎖線で，谷折りとなる線を破線で示している。これらの折り線に沿って折り易いようにリード罫や押罫を形成してもよいし，何らの加工もしないものでもよい。
【００２５】
対をなすＰＴＰホルダー10Ａ，10Ｂと，対をなすＰＴＰホルダー10Ｃと10Ｄとは同じ形であるから，まず対をなすＰＴＰホルダー10Ａ，10Ｂについて説明する。
【００２６】
対をなすＰＴＰホルダー10Ａと10Ｂは隣接して平行に（横方向に並べて）配置されている。ＰＴＰホルダー10Ａは，縦方向にのびており，中央に第１の挟持部11Ａが，その上下（図１において上，下）（両端）に第２の挟持部12Ａと表部13Ａとが連接して設けられている。ここで縦方向と横方向は直交する関係にある方向である。これらの第１の挟持部11Ａ，第２の挟持部12Ａおよび表部13Ａはほぼ同じ形，ほぼ同じ大きさであるが，違う点を述べると，第２の挟持部12Ａの長さは，第１の挟持部11Ａおよび表部13Ａの長さよりも，表部13Ａの部分13Ａａの長さ以上の長さ分，短くなっている。表部13Ａの幅は第１，第２の挟持部11Ａ，12Ａよりもわずかに短いが，これらをすべて同じとしてもよい。
【００２７】
ＰＴＰが置かれる箇所が第１の挟持部11Ａにおいて鎖線40で示されている（ＰＴＰそれ自体，またはその基板ないしは外方に突出するフランジ部分も符号40で示す）。この位置は第１の挟持部11Ａの中央部ではなく，図１において，左上に片寄っている。ＰＴＰが置かれる位置は，図１の上下方向（縦方向）には中央でもよいが，左右方向（横方向）には中央からずれていて，ＰＴＰホルダー10Ａと10Ｂを折り畳んだときに，ＰＴＰホルダー10Ａの後述する保持孔21ＡとＰＴＰホルダー10Ｂの保持孔21Ｂとが重ならないように（厳密にいえば，保持孔21Ａ，21Ｂから突出するＰＴＰの薬剤収容部が干渉（衝突）しないように）定められる。もっとも，ＰＴＰホルダー10Ａと10Ｂにおいて，保持孔21Ａと21Ｂの位置を上下方向にずらして互いに重ならないようにすることもできる。
【００２８】
ＰＴＰについて触れておくと，この実施例のＰＴＰは，アルミニウムなどの薄い長方形の基板40に，透明プラスチックよりなる１つの薬剤収容部41（図２，図３参照）が突出状に設けられたもので，内部に錠剤44が収容されている。
【００２９】
第１の挟持部11Ａにおいて，ＰＴＰ40の薬剤収容部41が位置する箇所には，薬剤収容部41がややゆるく入る大きさの保持孔21Ａがあけられている。この保持孔21Ａに近接して第１の挟持部11Ａに方形の窓（開口）22があけられている。この窓はＰＴＰ40のフランジ（基板）に表わされた薬剤44に関する情報（期限，製造番号等）を外部から見るためのものである。この種の情報が表わされている位置に対応した位置に窓22を形成すればよく，場合によっては第２挟持部12Ａに窓をあけてもよい。
【００３０】
ＰＴＰ40の外形のうちの三辺に沿い，かつつまみ23ａを形成するように，第１挟持部には切れ目（破断線または切断線）23が形成されている。ＰＴＰ40の外形の他の一辺に沿うように谷折りの折り線（押罫，リード罫）が形成されている。必要に応じて（たとえば，薬剤を押し出した後のＰＴＰをゴミとして分別する場合）この切れ目23に沿って第１の挟持部11Ａを破き，ＰＴＰを取り出すことができる。
【００３１】
第２の挟持部12Ａおよび表部13Ａにも，これらを第１の挟持部11Ａおよび第２の挟持部12Ａにそれぞれ折り重ねたときに，保持孔21Ａに一致する箇所に保持孔21Ａと同じ大きさ，形状の薬剤取り出し用の孔32Ａおよび33Ａがそれぞれあけられている。
【００３２】
図４ないし図６を参照するとよりよく分るように，表部13Ａは一番上になる部分であるから，その外側面には薬剤名（領域13ｂ）や服用予定日（領域13ａ）などが記載される。服用予定日はユーザが記載してもよい。表部13Ａの内側面には，たとえば注意事項１（領域13ｃ）が記載される。第１の挟持部11Ａ，第２の挟持部12Ａにもそれぞれ注意事項３，２（領域11ａ，12ａ）が記載される。
【００３３】
ＰＴＰホルダー10Ａと対をなすＰＴＰホルダー10Ｂは，ＰＴＰホルダー10Ａと同じ構成であり，第１の挟持部11Ｂとその上下端に連なる第２の挟持部12Ｂ，表部13Ｂとを備えている。第１の挟持部11Ｂには保持孔21Ｂと窓22が形成されているとともに，切れ目23が形成されている。第２の挟持部12Ｂ，表部13Ｂには孔32Ｂ，33Ｂがあけられている。ＰＴＰホルダー10Ｂにも薬剤名，服用予定日，注意事項等が記載されるのはいうまでもない。
【００３４】
このようなＰＴＰホルダー10Ａと10Ｂとは，それらの第１の挟持部11Ａと11Ｂとが側面部14Ａを介してつながっていることにより互いに結合している。側面部14Ａの幅は，これらのＰＴＰホルダー10Ａ，10Ｂに保持されるＰＴＰ40から突出する薬剤収容部41の高さにほぼ等しい。ＰＴＰホルダー10Ａ，10Ｂの第２の挟持部12Ａと12Ｂとは間隔をあけて離れており，同じように表部13Ａと13Ｂとは間隔をあけて離れている。
【００３５】
ＰＴＰホルダー10Ａと10Ｂからなる対と同じ構成をもつＰＴＰホルダー10Ｃと10Ｄとからなる対が台紙１に横方向に並べて形成されている。すなわちＰＴＰホルダー10Ｃは第１の挟持部11Ｃと第２の挟持部12Ｃと表部13Ｃとから構成され，ＰＴＰホルダー10Ｄは第１の挟持部11Ｄと第２の挟持部12Ｄと表部13Ｄとから構成され，これらのＰＴＰホルダー10ＣとＰＴＰホルダー10Ｄとは，それらの第１の挟持部11Ｃと11Ｄとが側面部14Ｃにより連続的につながることにより結合している。
【００３６】
そして，ＰＴＰホルダー10Ｂの第１の挟持部11Ｂとこれに隣接するＰＴＰホルダー10Ｃの第１の挟持部11Ｃとが，折りしろに相当するわずかな幅の部分（折り線15で示す）を介して連続的につながっている。
【００３７】
このようにして，１枚の台紙１上に，４つの（２対）のＰＴＰホルダー10Ａ，10Ｂ，10Ｃ，10Ｄの型が形成される。ＰＴＰホルダー10Ａと10Ｂの対をＰＴＰホルダー・パッケージということができるし，ＰＴＰホルダー10Ａ〜10Ｄによる２対をＰＴＰホルダー・パッケージと呼んでもよい。折り線15に沿ってミシン目のような破断線を形成しておけば，この折り線15の部分で，２つずつのＰＴＰホルダーに分離することができる。
【００３８】
このような台紙を用いてＰＴＰホルダー・パッケージを作製するには次のように折り曲げて組立てればよい。
【００３９】
ＰＴＰホルダー10Ａについて説明すると，第１の挟持部11Ａに対して折り線17Ａにそって第２の挟持部12Ａを折り重ね，これらの２つの挟持部11Ａと12Ａとの間にＰＴＰ40を置き，その薬剤収容部41を保持孔21Ａに入れる。第１の挟持部11Ａの切れ目23の内部以外の箇所，たとえば第２の挟持部12Ａの先端部付近の箇所において接着剤を塗布して第１の挟持部11Ａと第２の挟持部12Ａとを互いに固定する。この固定は第１，第２の挟持部11Ａ，12Ａのいずれか一方に係止片を，他方に切込みをそれぞれ形成して，係止片を切込みに入れて実現してもよいが，接着の方が好ましい。
【００４０】
第２の挟持部12Ａの外側面上に表部13Ａを重ねるように，折り線16Ａにそって表部13Ａを折り，部分13Ａａの第１の挟持部11Ａ側の面を第１の挟持部11Ａに接着する。すると，表部13Ａは折り線18Ａに沿って折り曲げることができるようになる（図５を参照）。この接着は必ずしもなくてもよい。薬剤名，服用予定日，注意事項１〜３のすべてを見ることができる。
【００４１】
他のＰＴＰホルダー10Ｂ，10Ｃ，10Ｄも同じように組立てることができる。そうして，側面部14Ａの両側の折り線19ＡにそってＰＴＰホルダー10Ａと10Ｂを互いの方向に折り畳む（図４参照）。ＰＴＰホルダー10Ａに保持されるＰＴＰ40の薬剤収容部41とＰＴＰホルダー10Ｂに保持されるＰＴＰ40の薬剤収容部41とが互いに衝突しない位置に，ＰＴＰホルダー10Ａ，10Ｂにおいて保持孔21Ａ，21Ｂがあけられているから，２つのＰＴＰホルダー10Ａ，10Ｂの第１の挟持部11Ａと11Ｂは，突出している薬剤収容部41の１個分の高さに相当する間隔をおいて離れ，側面部14Ａの幅はこの間隔にほぼ相当するから，２つのＰＴＰホルダー10Ａと10Ｂはほぼ平行な姿勢に保たれることになる。このようにして，２つのＰＴＰホルダーがＰＴＰの約１個分の厚さにコンパクトに折り畳まれることになる。
【００４２】
ＰＴＰホルダー10Ｃと10Ｄも同じように組立てられ，かつ折り畳まれる。そして，ＰＴＰホルダー10Ａ，10Ｂの対と，ＰＴＰホルダー10Ｃ，10Ｄの対とは，折り線15に沿って折り重ねられ，ＰＴＰホルダー10Ｂの表部13ＢとＰＴＰホルダー10Ｃの表部13Ｃとがぴったりと重なり合う。
【００４３】
ユーザ（患者）は服用日に１つのＰＴＰホルダーにおいて，ＰＴＰの薬剤収容部41を押して反対側のアルミニウム箔などを破り，取り出し孔32Ａ，33Ａ等を通して，薬剤44を取り出し，服用することができる。
【００４４】
図７は他の実施例を示すもので，図１に示す台紙と比較すると，各部分（第１の挟持部11Ａ，第２の挟持部12Ａ，表部13Ａなど）の縦横比が異なる。
【００４５】
図８はさらに他の実施例を示すもので，各部（第１の挟持部11Ａ，第２の挟持部12Ａ，表部13Ａなど）が骨の形を模擬した形になっている。
【００４６】
そのために折り線16Ａ，17Ａに沿う部分の一部は切り欠かれ，側面部14Ａも２つの部分に分離してそれらの間に空隙が形成されている。折りしろ15の部分も中央に切欠きが形成される。
【００４７】
このようにＰＴＰホルダーの各部の形状やサイズは任意に設計することができる。上記において，表部は必ずしもなくてもよいなど，種々の変形が可能である。
【符号の説明】
【００４８】
１  台紙
10Ａ，10Ｂ，10Ｃ，10Ｄ  ＰＴＰホルダー
11Ａ，11Ｂ，11Ｃ，11Ｄ  第１の挟持部
12Ａ，12Ｂ，12Ｃ，12Ｄ  第２の挟持部
13Ａ，13Ｂ，13Ｃ，13Ｄ  表部
14Ａ，14Ｃ  側面部
15  折り線（折りしろ）
21Ａ，21Ｂ  保持孔
22  窓
32Ａ，32Ｂ，33Ａ，33Ｂ  薬剤取り出し孔
23  破断線
【図１】
2012041072.tif 000003
【図２】
2012041072.tif 000004
【図３】
2012041072.tif 000005
【図４】
2012041072.tif 000006
【図５】
2012041072.tif 000007
【図６】
2012041072.tif 000008
【図７】
2012041072.tif 000009
【図８】
2012041072.tif 000010